(57)【特許請求の範囲】
【請求項１】
−少なくとも１つの磁気コア（１）と、
−前記磁気コア（１）に巻回される少なくとも１つの巻線（２、３）と、
−前記巻線（２、３）を備える前記磁気コア（１）が配置される電気絶縁基台であり、前記巻線（２、３）への接続を図る導電要素（２０）を一体化し、かつ互いに向かい合い、前記磁気コア（１）に取り付けられる底座を提供する少なくとも２つの物理的に分離された部品を含む電気絶縁基台と、を含むアンテナであって、
前記２つの部品（５、６）の各々が支持部分を提供し、支持部分が外周に外部巻線（４）が巻回される支持体を共に構成し、
−前記２つの部品（５、６）の各々が、２つの末端部分（５ａ、５ｂ、６ａ、６ｂ）に隆起を有し、隆起の各々がコーナ（９、１０、１１、１２）を形成し前記支持部分を構成する２つの壁を含み、その結果、前記２つの部品（５、６）が、４つのコーナ（９、１０、１１、１２）、各部分の前記末端部分間に存在する１つの空隙、及び両方の分離された部品間に存在する別の空隙を提供する
ことを特徴とするアンテナ。
【請求項２】
前記４つのコーナは、四角形の周辺部の頂点に位置し、内面で互いに向かい合い、内部に前記磁気コア（１）のためのハウジング（７）の境界を定め、４つのコーナの外面が、前記外部巻線（４）が巻回される前記外周を画定することを特徴とする、請求項１に記載のアンテナ。
【請求項３】
２つの部品（５、６）と前記磁気コア（１）との間の連結が、構造接着剤を使用した、分離した前記部品（５、６）の面（５ｃ、６ｃ）上へのコア（１）の底エリアの取り付けによって行われることを特徴とする、請求項１又は２に記載のアンテナ。
【請求項４】
基台を形成する前記２つの部品（５、６）が、同一かつ対称で、電気絶縁プラスチック材料製であり、前記導電要素（２０）が、前述の部品（５、６）に埋め込まれて、その末端及び／又は側面端部分（５ａ、５ｂ、６ａ、６ｂ）から突出する、請求項１〜３のうちのいずれか１項に記載のアンテナ。
【請求項５】
前記末端部分（５ａ、５ｂ、６ａ、６ｂ）が、矩形のプリズム構成を有し、前記壁と直交し、磁気コア（１）の前記底エリアの取り付けのための前述の面（５ｃ、６ｃ）を提供する一片として一定のセクションを有する直線セグメントによって互いに取り付けられる、請求項３に記載のアンテナ。
【請求項６】
それぞれの同一平面上の、直交する軸（Ｘ、Ｙ）周辺で前記磁気コア（１）上に巻かれる２つの巻線（２、３）を一体化し、第３の外部巻線（４）が、前の２つの軸に対して垂直な軸（ｚ）に従って前記支持体の前記外周に巻回される、請求項１〜５のうちのいずれか１項に記載のアンテナ。
【請求項７】
前記磁気コア（１）が、モノリシックコアであり、中心部（３０）の２つの大きな面から突出するプリズムタレット（３１）をその４つのコーナの各々に続いて有する四角形のプレートの形態の中心部（３０）を含み、前記プリズムタレット（３１）が、中心部（３０）の反対側に隣接した、条片（３２、３３）によって２つずつ連結され、前記条片（３２、３３）が、ステップ（３４）を決定して前記中心部（３０）の大きい面から僅かに突出し、前記中心部（３０）及び前記条片（３２、３３）が対応する巻線（２、３）のための支持体を提供し、巻線（２、３）が、互いに離間し、それぞれの同一平面上の、直交した軸に巻回され、電気絶縁シートによって保護される、請求項６に記載のアンテナ。
【請求項８】
前記導電要素（２０）が、基台の１つ以上の面から突出する突起の形状を採用し、溶接による対応する巻線（２、３、４）の１つの終端への取り付けのために提供されることを特徴とする、請求項１に記載のアンテナ。
【請求項９】
アンテナの面実装用である大きい外面（４０ａ）上に金属メッキ（１２１）を一体化した、磁気コア（１）上に配置されるアダプタ（４０）を含み、金属メッキ（１２１）が、電気絶縁基台の部品（５、６）の前記導電要素（２０）との接触を行うために側面（４０ｂ）に連続する、請求項１〜８のうちのいずれか１項に記載のアンテナ。
【請求項１０】
２つの部品（５、６）の前記末端部分（５ａ、５ｂ、６ａ、６ｂ）が、面実装による回路への接続のための底エリアに金属メッキを更に含む、請求項３、５、又は６のうちのいずれか１項に記載のアンテナ。
【請求項１１】
前記支持部分の壁が、巻線間の浮遊容量及び結合を最小化する他の巻線（単数又は複数）（２、３）からの距離だけ外部巻線（４）を分離させるように設定された厚みを有する、請求項２又は３に記載のアンテナ。
【請求項１２】
電気絶縁材料製の少なくとも１つの突起（９ａ、１０ａ、１１ａ、１２ａ）が、ハウジング（７）とは反対方向に、前記壁の各々の上部自由端の少なくとも一部分から片持ち状に延在することを特徴とする、請求項１１に記載のアンテナ。
【請求項１３】
−前記導電要素（２０）を提供し、前記２つの部品（５、６）を互いに取り付けたままにする、金属片によって構成された中間要素上への成形によって得られた電気絶縁基台の２つの物理的に分離された部品（５、６）の４つのコーナ（９、１０、１１、１２）の内面によって定められるハウジング（７）に磁気コア（１）を導入及び固定するステップと、
−電気絶縁基台の２つの部品（５、６）を互いに取り付けられたままにする前記中間要素を切断又は除去するステップと、
を少なくとも実行し、
さらに、
−多軸巻線機によって、コア上に巻線（単数又は複数）（２、３）を、少なくとも４つのコーナ（９、１０、１１、１２）の外面に外部巻線（４）を順に巻くステップであり、巻線（２、３）が、最初に、互いに直交する軸に従ってコアに巻回され、それらのうちの一方が、両方の部分間に存在する空隙を通過し、他方が、条片として、２つの末端部分ごとに互いを接合するセグメントの下の、各部品の末端部分間に存在する空隙を通過する、ステップと、を含む
請求項１〜１２のうちのいずれか１項に記載のアンテナを製造することを含むアンテナを製造する方法。
【請求項１４】
接着剤なしで少なくとも４つのコーナ（９、１０、１１、１２）の前記外面に対して外部巻線（４）を配置することを含み、該外部巻線（４）を形成するワイヤが環境に曝されることを特徴とする、請求項１３に記載の方法。
【請求項１５】
アンテナの面実装用である大きい外面上に金属メッキを一体化したアダプタ（４０）をアンテナと関連させることを含み、前記金属メッキが、前記導電要素又は端子（２０）との接触、及び前記アダプタの前記金属メッキへの前記端子（２０）の溶接を行うために、側面に連続することを特徴とする、請求項１３に記載の方法。
【発明の詳細な説明】
【技術分野】
【０００１】
分野
第１の態様では、本発明は、低保磁力磁気コアが配置される２つの部分に分割された電気絶縁基台及び前記コア上に巻かれる２つ以上の巻線を含むアンテナに、特に基台の２つの部分がアンテナの巻線の１つを巻くための電気絶縁支持体を提供するアンテナに関する。
【０００２】
本発明の第２の態様は、多軸巻線機によりすべての巻線を連続的に巻くことによって第１の態様のアンテナを製造することを含むアンテナを製造する方法に関する。
【０００３】
背景
２つの巻線が互いに直交する２つの軸に従って巻回される一体型磁気コアのためのハウジングを画定する電気絶縁基台によって形成されたアンテナであって、基台自体が、その周辺部において、他の２つの軸と直交する第３の軸に従って第３の外部巻線を巻回するリールを画定するアンテナは、例えば、特許US7755558B2から公知である。
【０００４】
他方で、US8451184B2は、背景技術に関する項目（図面の図９参照）において、３つの巻線が巻かれ、特にそれらのうちの２つが、コアの中心部に、２つの直交するＸ軸及びＹ軸に従って巻回され、外部巻線が、Ｘ及びＹ巻線の通過エリアによって分離される４つのリール部分で形成されたコアの周辺部に、Ｚ軸に従って巻回される一体型コアによって形成されたアンテナを開示する。
【０００５】
US8451184B2は、このように配置された異なる巻線の効果に起因した、並びに異なるコイルの特徴及び巻線間の容量性結合に関する共通コアの寸法的及び幾何学的な要件に起因した課題のために、このような配置を批判する。このような課題に対する解決策として、特許US8451184B2は、２つの巻線が、一方がコアの中心部に、他方が不連続なリールとして走る、その周辺部の溝に、２つの直交するＸ及びＺ軸に従って巻回される第１のコアのためのハウジングを画定する２つの部分に分割された電気絶縁基台によって形成される第１のコイルと、別の巻線がＹ軸に従って配置される第２の磁気コアによって形成され、第１のコイルに隣接して配置される（図６参照）第２のコイルと、によって形成されるアンテナであって、両コイルが樹脂成形によって一体化されたアンテナを提案する。
【０００６】
US8451184B2によって提供される解決策は、該発明者によると、従来の３軸アンテナよりも寸法的に小さいか又は薄くなり得るアンテナを構成するが、互いに分離した２つのコアを有することにより、１つのコアだけが使用された場合よりも大きな、コアの分離方向に従った寸法がはっきりと作り出される。特にＺ軸に従ったコイルの、感度範囲、及び結合容量、特にＺとＹコイルの間に形成される結合容量が、確実に改善され得る。
【０００７】
特許文献特開2013-165368号公報は、US8451184の背景技術において批判される一体型コアのような、一体型コア、すなわち３つの巻線に共通のコアによって形成されるアンテナを提案し、この場合に、コアのハウジングではなく、単にコア、特に前述の４つのリール部分の基台の支持体を画定する、互いに分離した４つの異なるコーナ部分によって形成される電気絶縁基台上に、３つの巻線を有するコアを配置することを更に提案する。
【０００８】
したがって、特開2013-165368号公報は、容量性結合及びコイルの特徴の劣化についての３つの巻線を巻くこのようなコアの使用の欠点に関するUS8451184B2に記載された課題を解決せず、かつ考慮しない。
【０００９】
EP1315179Aは、軸が相互に直交し、恒久的な点で交差する３つのコイルの配置を有した三次元巻線配置を明らかにする。立方体のコイル受台は、少なくともコイル厚に対応する隆起コーナの面と立方体面との間の距離を有した隆起コーナを有する。空間が、巻線を供給又は挿入するための隆起端部の間に残される。
【００１０】
概要
感度、コイル間の低減した容量性結合、製造の容易性などに関して、公知のアンテナよりも性能を発揮する非常に小型のアンテナを提供することによってそこに見出される空隙を覆う背景技術の変形形態を提供する必要性が存在する。
【００１１】
このような目的により、第１の態様では、本発明は、
−少なくとも１つの磁気コアと、
−前記磁気コアに巻回される１つ以上の巻線と、
−前記巻線（単数又は複数）を備える前記磁気コアが配置される電気絶縁基台であり、前記巻線（単数又は複数）に接続させるために提供された導電要素を一体化し、かつ平行に配置され、互いに向かい合い、前記磁気コアに連結される２つの部品を含む電気絶縁基台と、を含むアンテナに関する。
【００１２】
公知のアンテナとは異なり、本発明の第１の態様によって提案されるアンテナでは、電気絶縁基台の前述の２つの部品の各々は支持部分を提供し、支持部分は外周に外部巻線が巻回される支持体を共に構成する。
【００１３】
磁気コアは、通常、実施形態に従って、コバルト、ニッケル−亜鉛合金、マンガン−亜鉛合金、アモルファス構造のコバルト、及びナノ結晶コバルトからなる群から選択される材料を含むフェライトコアである。
【００１４】
好ましい実施形態によれば、前記２つの部品の各々は、各々がコーナを形成し前記支持部分を構成する２つの壁を含んだ隆起を２つの末端部分に有し、その結果、前記２つの部品が、内面で互いに向かい合い、前記磁気コアのためのハウジングを内部に定める四角形の周辺部の頂点に位置した、４つのコーナを提供し、４つのコーナの外面が、前記外部巻線が巻回される前記外周を画定する。
【００１５】
一実施形態の、前記２つの支持部分の各々は、２つのコーナを含むＣ型の壁を含み、その結果、２つの壁の内面が、互いに向かい合い、磁気コアのためのハウジングを内部に定め、２つの壁の外面が、前記外部巻線が巻回される前記外周を画定する。
【００１６】
２つの部品と磁気コアとの間の前述の連結は、通常、構造接着剤を使用した、分離した前記部分の面上への磁気コアの底エリアの取り付けによって行われる。
【００１７】
一実施形態によれば、基台を形成する２つの部品は、同一かつ対称で、電気絶縁プラスチック材料製であり、前述の導電要素は、前述の部分に埋め込まれて、突起又は端子としてその遠位及び／又は側位終端部分から突出する。
【００１８】
一実施形態によれば、前述の末端部分は、矩形のプリズム構成を有し、前記壁と直交し、磁気コアの前記底エリアの取り付けのための前述の面を提供する一片として一定のセクションを有する直線セグメントによって、互いに取り付けられる。
【００１９】
一実施形態によれば、２つの部品の前記末端部分は、面実装による回路への接続のための底エリアに金属メッキを更に含む。
【００２０】
一実施形態の、少なくとも４つのコーナの外面に巻回される外部巻線は、接着剤なしで前記外面に対して配置され、この巻線を形成するワイヤは、環境に曝されたままである。
【００２１】
好ましい実施形態によれば、本発明の第１の態様のアンテナは、それぞれの同一平面上の、直交するＸ、Ｙ軸周辺で磁気コア上に巻かれる２つの巻線を一体化し、第３の外部巻線は、前の２つの軸に対して垂直なＺ軸に従って前記支持体の前述の外周に巻回される。
【００２２】
一実施形態の、磁気コアは、モノリシックコアであり、中心部の２つの大きな面から突出するプリズムタレットをその４つのコーナの各々に続いて有する四角形のプレートの形態の中心部を含み、前記タレットは、中心部の反対側に隣接した、片によって２つずつ連結され、前記片は、ステップを決定して前記中心部の大きい面から僅かに突出し、前記中心部及び前記片は、（Ｘ軸及びＹ軸周辺の）対応する巻線のための支持体を提供し、巻線は、互いに離間し、それぞれの同一平面上の、直交した軸に巻回され、電気絶縁シートによって覆われる。
【００２３】
このようなステップは、ポリエステルテープ、カプトンテープなどの追加的なスペーサ要素を提供する必要なしに軸の間の容量性結合を低減させ、更に混信を低減させることによって動作を改善しかつコストを低減させることを可能にするＸ軸及びＹ軸に従った巻線間の分離を提供する。
【００２４】
前述の導電要素は、一実施形態によれば、基台の１つ以上の面から突出する突起の形状を採用し、溶接による対応する巻線の１つの終端への取り付けのために提供される。前記突起の各々は、通常、溶接の前に巻線の終端を巻回するためのノッチを有し、前記ノッチの機能はこのような巻線の終端が突起から滑り出るのを防止することである。
【００２５】
一実施形態によれば、本発明の第１の態様によって提案されるアンテナは、電気絶縁基台の部分の前記導電要素との、かつアンテナの面実装用であるその大きい外面の前記金属メッキとの接触を行うために、側面に連続する大きい外面上に金属メッキを一体化した磁気コア上に配置されるアダプタを含む。
【００２６】
外部巻線が外周に巻回される支持体を構成する支持部分の壁は、巻線間の浮遊容量及び結合を最小化する他の巻線（単数又は複数）からの所定の距離だけ外部巻線を分離させるように設定された厚みを有し、それにより、混信及びコストが低減される。
【００２７】
一実施形態によれば、壁の各々の上部自由端の少なくとも一部分は、ハウジングとは反対方向に、片持ち状に延在し、電気絶縁材料製の少なくとも１つの突起を形成する。
【００２８】
本発明の第２の態様は、少なくとも以下のステップを実行することによって本発明の第１の態様によるアンテナを製造することを含むアンテナを製造する方法に関する。
−前述の導電要素を提供し、基台の２つの部品を互いに取り付けたままにする中間要素（連続金属片）上への射出成形によって得られた電気絶縁基台の２つの分離部品の４つのコーナの内面によって定められるハウジングに磁気コアを導入及び固定するステップ。
−切断によって、コアに取り付けられた基台の２つの部品から前記中間要素を分離するステップ。
−多軸巻線機によって、コア上に巻線（単数又は複数）を、基台の２つの部品の４つのコーナの外面に外部巻線を順に巻くステップ。
【００２９】
磁気コアがハウジングにおいて固定されるまで、特にコアが接着し、使用された接着剤が硬化するまで電気絶縁基台の２つの部品を互いに取り付けたままにすることは、両方の部品が常に同一平面性を維持して一体化及び平面アセンブリを形成することを意味する。
【００３０】
前記導電要素が基台から突出して画定され、完全な基台を有するアンテナと比較して、小さなフィールド遮蔽金属質量を構成して、品質係数（Ｑ）及び感度を改善し、質量（金属質量並びに基台自体の質量）を低減させて、落下試験を改善するように、前述の中間要素は、基台の部品に埋め込まれて最終的に切断される前述の導電要素を提供する金属片の部品によって形成される。
【００３１】
本発明の第２の態様によって提案される方法の一実施形態によれば、心出し／位置決め要素を自動的に関連させ、複数の基台の部品における一体化用の前述の導電要素を提供する、同一かつ等距離の基準穴を有する（一般にリードフレームとして公知の）長い金属片が、通常スプールから、提供され、基台の部品の射出成形、その上への接着剤の吐出、基台上へのコアの実装、及びすべての基台のための接着剤の熱硬化プロセスが実行される。すべての基台をこのような金属片を使用して互いに取り付けたままにすることによって、組立ラインへの基台の別個の自動供給、並びにその駆動、搬送、及び心出しに関する課題が解決される。
【００３２】
接着剤が硬化した後、金属片は、基台の２つの部品を取り付ける金属片の前述の部分に分割するために切断され、次いで巻線ステップが実行される。
【００３３】
製造されるアンテナが、本発明の第２の態様の方法に従って、コアの周りの２つ及び外部巻線の、３つの巻線を含むとき、使用される電気絶縁基台の部品は、２つの部品の各々が、２つの末端部分に、各々がコーナを形成する２つの壁を含んだ隆起を有する先に説明した好ましい実施形態のものである。この場合、巻線は、最初に、互いに直交する軸に従ってコアに巻回され、それらのうちの一方が、両方の部品間に存在する空隙を通過し、他方が、片として、２つの末端部分ごとに互いを接合するセグメントの下の、各部品の末端部分間に存在する空隙を通過する。最後に、外部巻線が、４つのコーナの外面に巻回される。
【００３４】
アンテナが、コアの周りの１つ及び外部巻線の、２つの巻線を含むだけのあまり好ましくない場合には、部品の各々によって提供される各支持部分が２つのコーナを含む少なくとも１つのＣ字形の壁を含むように、上に説明された実施形態の電気絶縁基台の部品が同様に使用され、最初に、壁に平行な、両方の部品間に存在する空隙を通過する方向に、コアに巻線を巻回し、次いで、２つのＣ字形の壁の外面に外部巻線を巻回する。
【００３５】
好ましい実施形態によれば、方法は、接着剤なしで４つのコーナの外面に対して外部巻線を配置することを含み、外部巻線を形成するワイヤは環境に曝されて、その結果、ワイヤが熱接着性ワイヤではないので、従来は熱接着性ワイヤで実行される巻線のものと比較して、直径及び中間曲線の長さの、したがって巻線の寸法及び強度の、低減による品質係数（Ｑ）を改善し、それにより、選択度及び同調が改善される。巻線が小さいので、巻線の分布容量が低減して実際の共振周波数が増加し、それによりアンテナの周波数安定性が改善される。
【００３６】
熱接着性ワイヤが不要なので、ワイヤが溶剤又は熱を使用して接着されるのを待つ必要がなく巻線プロセスが増加し、高速多軸巻線機を使用して、機械で同時に多くのアンテナを製作することが可能となる。
【００３７】
前述の及び他の利点及び特性は、例示及び非限定的に解釈されなければならない添付図面を参照して、いくつかの実施形態の以下の詳細な説明からよりよく理解されるであろう。
【図面の簡単な説明】
【００３８】
【図１】実施形態の本発明の第１の態様によって提案されるアンテナの電気絶縁基台の２つの部品を示した上方斜視図である。
【図２】下方斜視図による以外は図１と同じ要素を示す。
【図３】本発明の第１の態様によって提案されるアンテナの一実施形態による、図１の基台の２つの部品、及び２つの部品によって画定されたハウジングに嵌め込まれるように提供された磁気コアの分解斜視図である。
【図４】磁気コアに２つの巻線が巻回され、基台の２つの部品から突出する壁のコーナに外部巻線が巻回された、基台の２つの部品によって画定されるハウジングに一度嵌め込まれた磁気コアの斜視図である。
【図５】巻線の終端が巻線を例示された金属突起に接続する前にどのように編組されるかについて概略的に示すという点で図４とは異なる。
【図６】溶接による金属突起の一部への、一度編組された、図５に例示される巻線の終端の一部の接続を詳細に示す。
【図７】磁気コア上に配置されるときに、基台の金属突起に接触し、ＰＣＢ基板上のアンテナの面実装を可能にすることを目的とした、大きい外面上に金属メッキを含んだ、一実施形態に従って本発明の第１の態様によって提案されるアンテナと関連したアダプタの斜視図である。
【図８】すべての巻線を覆って、磁気コア上に実装するために、かつ基台に固定するために配置された図７のアダプタの分解上方斜視図である。
【図９】磁気コア上に一度実装され、基台に固定されたアダプタの下方斜視図である。
【図１０】一実施形態として、本発明の第１の態様によって提案されるアンテナの基台の２つの部品のそれぞれの底エリアに固定されたラベルを示すという点で、図９とは異なる。
【図１１】平行に配置され、（公知のように金属片上に射出成形された）アンテナの複数の基台の電気絶縁部に埋め込まれることを目的とした複数の金属端子を一体化する、２つの金属片又はリードフレームの配置を示し、該図面は、アンテナ、特に一実施形態として、本発明の第１の態様によって提案されるアンテナの、基台の２つの部品のみを例示する。
【図１２】突起又は周辺フランジがハウジングから出て各々のコーナの上端から片持ち状に延在する実施形態を除けば図１の図と類似した図である。
【図１３】図１２の基台の２つの部品、及び提案されるアンテナの一実施形態による、部品によって画定されたハウジングに嵌め込まれた磁気コアの斜視図である。
【図１４】片持ち状に延在する突起が小さく、各々のコーナの上端の全周辺部から延在しないという点で前記図１２とは異なる、図１２の実施形態と代わる実施形態を示す。
【００３９】
発明の詳細な説明
添付図面は、本発明によって提案されるアンテナのいくつかの実施形態を例示する。
【００４０】
特に、図１、図２、図１２、及び図１４は、基台を形成する２つの部品５、６が同一及び対称であること、電気絶縁プラスチック材料製であること、前述の部品５、６に埋め込まれ、その末端及び／又は側面端部分５ａ、５ｂ、６ａ、６ｂから突出する突起として、導電要素２０を有することが共通する以外は、他の態様とは異なる３つの実施形態のための、本発明のアンテナの基台が分割された２つの部品５、６を例示する。
【００４１】
図１、図１２、及び図１４の実施形態の、２つの部品５、６の各々は、各々がコーナ９、１０、１１、１２を形成する２つの壁を含んだ隆起を２つの末端部分５ａ、５ｂ、６ａ、６ｂに有し、その結果、２つの部品５、６が、内面で互いに向かい合い、磁気コア１のためのハウジング７を内部に定める四角形の周辺部の頂点に位置した、４つのコーナ９、１０、１１、１２を提供し、４つのコーナ９、１０、１１、１２の外面が、外部巻線４が巻回される外周を画定する。
【００４２】
図１２及び図１４は、外部巻線４を巻く間のガイドを容易にし、摺動により外部巻線４が出るのを防止するために、各々のコーナ９、１０、１１、１２の上端の一部（図１４の場合）又は全体から（図１２の場合）ハウジング７の外へ片持ち状に延在する突起９ａ、１０ａ、１１ａ、１２ａを有するという点で、図１の実施形態とは異なる各々の実施形態を例示する。
【００４３】
図１３は、図１２と同じ実施形態を例示するが、一度磁気コア１がハウジング７に既に嵌め込まれて、固定されている。
【００４４】
図２は、末端部分５ａ、５ｂ、６ａ、６ｂが、どのように矩形のプリズム構成を有するか、前記コーナ９、１０、１１、１２を形成し磁気コア１の底エリアのための取り付け面を提供する壁と直交する一片としての一定のセクションを有した直線セグメント５ｃ、６ｃによって取り付けられるかの観察を可能にする下面図によって、図１の２つの部品５、６を例示する。
【００４５】
図２の実施形態と代わる非例示的な実施形態の、２つの部品５、６の終端部分５ａ、５ｂ、６ａ、６ｂは、面実装による回路への接続のための底エリアに金属メッキを更に含む。
【００４６】
図３は、図１と同じ実施形態による、２つの部品５、６によって画定されたハウジング７に嵌め込まれて、固定される前の状況の本発明のアンテナの磁気コア１を示す。磁気コア１が、モノリシックコアであり、中心部３０の２つの大きな面から突出するプリズムタレット３１をその４つのコーナの各々に続いて有する四角形のプレートの形態の中心部３０を含むことが観察され、前記タレット３１が、中心部３０の反対側に隣接した、条片３２、３３によって２つずつ連結され、前記条片３２、３３が、ステップ３４を決定して前記中心部３０の大きい面から僅かに突出し、前記中心部３０及び前記条片３２、３３が対応する巻線２、３のための支持体を提供し、巻線２、３が、互いに離間し、それぞれの同一平面上の、直交した軸に巻回され、電気絶縁シートによって保護される。
【００４７】
図４、図５、図８、及び図９は、コア１に巻回された前記２つの巻線２及び３、並びに４つのコーナ９、１０、１１、及び１２に巻回された外部巻線４を例示する。
【００４８】
図５は、（図示矢印によって示されるように）それぞれの金属突起２０又は端子に固定する前に、この場合には外部巻線４の終端４ａ及び４ｂである、巻線の終端がどのように編組されなければならないかを例示し、図６は、一度編組され、突起２０上に数回巻かれ。突起２０から滑り出るのを防止するノッチ２１を通過し、溶接点２２１が突起２０に固定するために適用された終端４ｂを例示する。
【００４９】
図７は、基台−コアアセンブリ上に配置されるときに基台の金属突起２０に接触する、ＰＣＢ基板上のアンテナの面実装用である側面４０ｂまで、大きい面４０ａから延在する金属メッキ１２１を含んだ、一実施形態に従って本発明の第１の態様によって提案されるアンテナが含むアダプタ４０を示す。図８は、アダプタ４０を基台−コアアセンブリ上に実装する前の状況を例示し、図９（下面図）は、アダプタが一度実装されて固定され、かつ金属メッキ１２１の側延在部の自由端が一度突起２０の一部に接触した状況を例示する。
【００５０】
図１０は、図９に例示されたアセンブリの２つの部品５、６の底エリア上に固定される保護ラベルの付加を示す。
【００５１】
最後に、図１１は、平行に配置され、（条片に射出成形された）複数のアンテナ基台の電気絶縁部に埋め込まれる複数の金属端子Ｔを一体化する、２つの金属片Ｌａ、Ｌｂ又はリードフレームの配置を例示し、該図面は、アンテナ、特に一実施形態として、本発明の第１の態様によって提案されるアンテナの、基台の２つの部品５、６のみを例示する。
【００５２】
このような金属端子Ｔは、磁気コア１が基台に一度固定されると、金属条片Ｌａ、Ｌｂから分離して、切断され、その結果、条片Ｌａ、Ｌｂから分離される部品、すなわち部品５、６の終端からの突起部が、金属突起２０を画定する。
【００５３】
図１１は単一の基台の部品５、６を例示するだけであるが、本発明の第２の態様によって提案される方法は、対応する基台の複数の部品５、６が射出成形されるいくつかの金属条片Ｌａ、Ｌｂに、基台につき１つ、最終的に固定される複数の磁気コア１に適用され、一度磁気コアがすべて固定されると、形成された異なる基台−コアアセンブリは分離され、アセンブリの一部又はすべてが、有利には３つの巻線２、３、４で、同時に、又は各々が別々に、同一の多軸巻線機において巻かれる。
【００５４】
当業者は、添付の特許請求の範囲において定められるような本発明の趣旨を逸脱しない範囲で記載された実施形態の変化及び修正を導入することができる。
【図１】
0006541677.tif 000002
【図２】
0006541677.tif 000003
【図３】
0006541677.tif 000004
【図４】
0006541677.tif 000005
【図５】
0006541677.tif 000006
【図６】
0006541677.tif 000007
【図７】
0006541677.tif 000008
【図８】
0006541677.tif 000009
【図９】
0006541677.tif 000010
【図１０】
0006541677.tif 000011
【図１１】
0006541677.tif 000012
【図１２】
0006541677.tif 000013
【図１３】
0006541677.tif 000014
【図１４】
0006541677.tif 000015